(57)【要約】【課題】  ケースとストッパ付スライダとをケースのガイドから抜け落ちないようにすると共に、ケース内の物品の盗難を防止する。【解決手段】  周囲の一面に販売や貸し出し物品Ａの挿入、引き抜きによる出し入れ用の開口１を有するケースＫと、このケースの周壁に上記開口から前記開口の反対方向にガイド５を設け、このガイドに出没スライドするスライダ６を嵌挿すると共に、このスライダとガイドとに前記スライダの抜け止め手段を設け、上記スライダの突出方向端に前記物品の脱出防止用のストッパ１２を設け、上記スライダの途中に上記開口からストッパが外れる中折れ関節部１３を設け、上記ケース或いはガイドとスライダとの対向面に前記スライダの没入終了時点に係合関係になる係止手段Ｄを設ける。【選択図】  図２
2004345736.tif 000002
【特許請求の範囲】
【請求項１】
周囲の一面に販売や貸し出し物品の挿入、引き抜きによる出し入れ用の開口を有するケースと、このケースの周壁に上記開口から前記開口の反対方向にガイドを設け、このガイドに出没スライドするスライダを嵌挿すると共に、このスライダの前記開口側端に前記物品の脱出防止用のストッパを設け、上記ケース或いはガイドとスライダとの対向面に前記スライダの挿入終了時点、上記スライダの突出方向のスライド途中に係合関係になる係止手段を設けたことを特徴とする盗難防止装置。
【請求項２】
箱体と、この箱体の周囲一辺に適宜のヒンジを介し上記箱体の開口を開閉するように設けた蓋体とでケースを形成し、このケースの上記ヒンジと前記ヒンジに対向する辺との間の平行する一辺に物品の抜き取り用の開口を設け、上記ケースのヒンジに対向する側に並列掛合部を設けて、この並列掛合部に上記ケースの開放阻止掛合状態に、かつ抜き差し自在なスライダを挿入し、このスライダの上記開口側端に上記物品の脱出防止用のストッパを設け、上記ケース或いは掛合部とスライダとの対向面に前記スライダの挿入終了時点、上記スライダの突出方向のスライド途中に係合関係になる係止手段を設けたことを特徴とする盗難防止装置。
【請求項３】
前記ケースに物品の押し出し用指先嵌入用貫窓を設けたことを特徴とする請求項１または２に記載のケース。
【請求項４】
前記の係止手段が、ショップ側により解除でき、解除にともなう引き抜いたスライダをショップ側に回収するようにしたことを特徴とする請求項１または２に記載の盗難防止装置。
【請求項５】
一側面に商品の出し入れ用の開口を有する箱体と、この箱体の周囲一辺に適宜のヒンジを介し上記開口を開閉するように設けた蓋体とでケースを形成し、このケースの上記ヒンジの反対側辺の外側に前記ケースの開放阻止用の嵌合体を嵌装し、またこの嵌合体の嵌装方向側辺縁に上記ケースに設けてある貫孔に差し込む突出体を設け、この突出体と上記ケースとに前記突出体の貫通終了にともない係合関係になり、かつショップ側により係合関係を解除できる係止手段を設けたことを特徴とする盗難防止装置。
【発明の詳細な説明】
【技術分野】
【０００１】  この発明は、陳列時にケースに挿入してある例えばＣＤカセットの音楽や映像を記録してあるディスクやビデオテープ、ゲームソフトなどの商品の盗難防止をすると共に、上記ケースが貸し出しや販売にも転用することができるようにした盗難防止装置に関する。
【背景技術】
【０００２】  例えば、レンタル店でレンタル商品を陳列する場合、ケースから商品を抜き取ることが出きるので、商品が盗まれる問題が発生した。【０００３】  そこで、ケースから商品の抜き取りを防止する従来技術としては、特許文献１に示すようなケースや特許文献２に示すような盗難防止用ケースがある。【０００４】
【特許文献１】  特開２０００−２３７００８号公報
【０００５】
【特許文献２】  特開２００１−１２２３２１号公報
【発明の開示】
【発明が解決しようとする課題】
【０００６】  ところで、特許文献１の構造のものは、ケースの周壁外側にガイド手段により進退スライドするスライダを設けて、スライダの前進により揺動体を押さえ込みながら、スライダの先端ストッパをケースの開口に臨ませて商品の取り出しを防止するようになっている。【０００７】  上記のような構造によると、ケースの頂壁全長に設けてあるガイド手段のレール用突出壁の溝にスライダの突条を嵌め込み係合させてスライダを進退スライドさせるので、スライダの端面が開放する。【０００８】  すると、スライダの端面から内方にドライバなどを押し込み、かつ、こじることによって上記の嵌め込み係合させてある溝から突条が外れ、外れることによってスライダが脱落してストッパ付の揺動体の押さえ込みを維持することができない不都合（商品の盗難防止機能の役目を果たさない）が発生した。【０００９】  また、特許文献２の構造のものは、ガイド手段にストッパ付のスライダを挿入しながらケースの開口にストッパを臨ませて、ケースから商品の取り出しを防止するようになっている。【００１０】  上記のような構造によると、ケースとストッパ付のスライダとが別体のため、個別にケース及びスライダを管理することになるので、手数がかかる以外に、スライダの差し込みや抜き取りに煩わしい問題があった。【００１１】  特に陳列した盗難防止ケースを貸し出しや販売ケースとして転用することができない。【００１２】  そこで、この発明は、上記の問題を解決することにある。
【課題を解決するための手段】
【００１３】  上記のような課題を解決するために、この発明は周囲の一面に販売や貸し出し物品の挿入、引き抜きによる出し入れ用の開口を有するケースと、このケースの周壁に上記開口から前記開口の反対方向にガイドを設け、このガイドに出没スライドするスライダを嵌挿すると共に、このスライダの前記開口側端に前記物品の脱出防止用のストッパを設け、上記ケース或いはガイドとスライダとの対向面に前記スライダの挿入終了時点、上記スライダの突出方向のスライド途中に係合関係になる係止手段を設けた構成を採用する。【００１４】  また、箱体と、この箱体の周囲一辺に適宜のヒンジを介し上記箱体の開口を開閉するように設けた蓋体とでケースを形成し、このケースの上記ヒンジと前記ヒンジに対向する辺との間の平行する一辺に物品の抜き取り用の開口を設け、上記ケースのヒンジに対向する側に並列掛合部を設けて、この並列掛合部に上記ケースの開放阻止掛合状態に、かつ抜き差し自在なスライダを挿入し、このスライダの上記開口側端に上記物品の脱出防止用のストッパを設け、上記ケース或いは掛合部とスライダとの対向面に前記スライダの挿入終了時点、上記スライダの突出方向のスライド途中に係合関係になる係止手段を設けた構成を採用する。【００１５】  そして、前記の係止手段が、ショップ側により解除でき、解除にともなう引き抜いたスライダをショップ側に回収するようにした構成を採用する。【００１６】  すると、ケースに収納してある物品の抜き取りを開口の一部を閉鎖するストッパによって阻止し、脱出方向にスライドさせたスライダをスライド途中に係止手段による係合関係にしてケースからスライダを抜けないように、すなわち開口から離反した位置にストッパを停止し、ショップ側によって係止手段の係合関係の解除にともないスライダを抜き取る。【００１７】  また、一側面に商品の出し入れ用の開口を有する箱体と、この箱体の周囲一辺に適宜のヒンジを介し上記開口を開閉するように設けた蓋体とでケースを形成し、このケースの上記ヒンジの反対側辺の外側に前記ケースの開放阻止用の嵌合体を嵌装し、またこの嵌合体の嵌装方向側辺縁に上記ケースに設けてある貫孔に差し込む突出体を設け、この突出体と上記ケースとに前記突出体の貫通終了にともない係合関係になり、かつショップ側により係合関係を解除できる係止手段を設けた構成を採用する。【００１８】  すると、ケースに嵌合体を嵌装すると、嵌装にともない係合関係の係止手段によってケースから嵌合体が外れない。
【発明の効果】
【００１９】  以上のように、この発明の盗難防止装置によれば、ケースにストッパ付のスライダを設けてあるので、ケースとストッパ付スライダの別々の管理やスライダの紛失をなくすることができると共に、手間のかかるスライダの差し込み操作が不要になり、スライダの挿入により開口の一部をストッパにより閉鎖し、かつ係止手段によるスライダの突出方向のスライド防止によって物品の盗難を防止することができる。【００２０】  また、ケースに設けた貫窓によって、物品の押し出しをスムーズに行うこともできる。【００２１】  さらに、スライダや嵌合体をショップ側の解除操作によって係止手段の係合関係を解除して抜き取り、かつショップ側に回収するようにしてあるので、スライダや嵌合体のないケースを貸し出しや販売に転用する事ができる。
【発明を実施するための最良の形態】
【００２２】  以下、この発明の実施形態を添付図面に基づいて説明する。【００２３】  この発明の第一の実施形態では、図１から図３に示すように、陳列用のケースＫの周囲一面には、販売や貸し出し物品Ａの挿入、引き抜きによる出し入れ用の開口１が設けてある。【００２４】  上記のケースＫは、図１に示すように対向する対の側壁２、２と、この側壁２、２の上縁同士、片方の側縁同士及び下縁同士を連結する周壁３とで構成され、例えば合成樹脂成型品によって形成する。【００２５】  上記の販売や貸し出し物品Ａとしては、例えば図１に示すような収納ケースＢに商品ａのディスクを収納したものや、図１３に示すようなビデオテープなどがある。【００２６】  そして、図示のように、ケースＫに（図示の場合側壁２の内面に設けたが、位置は限定されない）固有のＩＤコードをもち、ショップの出入口を通過の際出入口に設置の高周波電磁界の発生により共振回路が共振して固有のＩＤコードの発信にともない前記の高周波電磁界を変調させるような盗難防止タグ４を設けて、ケースＫの持ち出しを阻止する。【００２７】  また、ケースＫには、開口１から開口１の反対方向にガイド５を設けて、このガイド５に出没スライドするスライダ６を挿入する。【００２８】  勿論、ケースＫ側のタグ４をスライダ６に設けてもよい。【００２９】  上記のガイド５は、図示の場合、頂壁部７と、この頂壁部７の両側縁から連なって下方に突出して対向すると共に、両側壁２、２の上縁に連なる（ケースＫと一体成型による）側壁部８とで筒状に設けたが、例えば、ケースＫ内の上部で上面用周壁３に所定の間隔を存して対向すると共に、側壁２、２から内方に突出する突出条や側壁２、２同士を連結する連結壁（いずれも図示省略）などで構成することもある。【００３０】  要するに、スライダ６の出没スライドをガイドすることにある。【００３１】  さらに、スライダ６とガイド５或いはケースＫとには、スライダ６の抜け止め用の係止手段Ｃが設けてある。【００３２】  上記の抜け止め用の係止手段Ｃとしては、例えば図３に示すように、ガイド５の両側面にスライダ６のスライド方向に沿う貫通或いは溝状のレール部９を設けて、このレール部９にスライダ６の末端両側から突出する突部１０を嵌入し、スライダ６の突出スライドにともないレール部９の開口１側端縁に突部１０が当接して、ガイド５からスライダ６が抜けないようになっている（なお、突部１０は、図示のように切り込み１１を入れて、ガイド５にスライダ６を押し込むと側壁部８の内面との接触によって突部１０が押し戻され、押し込みにともないレール部９に突部１０が合致すると、押し戻しの解除された突部１０がレール部９に嵌り込むようにした）が、上記以外の例えば図９に示すようにガイド５内の底面とスライダ６の下面とにレール９と軸上の突部１０を設けてもよい。【００３３】  要するに、突出させたスライダ６がガイド５から抜けないようにしてある。【００３４】  また、スライダ６の開口１側端には、スライダ６の挿入スライドの終了にともない開口１の一部を閉じてケースＫ内の物品Ａの抜き取りを阻止するストッパ１２が設けてある。【００３５】  さらに、スライダ６の途中（突出終了時点のガイド５から��れる位置）には、開口１からストッパ１２が外れる中折れ関節部１３が設けてある。【００３６】  上記の関節部１３は、図示の場合スライダ６の下面にＶ字状の欠除部を設けて形成したが、その他の方法で設けることもある。【００３７】  なお、合成樹脂によって形成するスライダ６に図７に示すような反り返る性質を付与しておくと、スライダ６の突出方向のスライドにともないガイド５からスライダ６のストッパ１２側端図３の上面に設けてある嵌入案内下がり勾配のテーパー面１４付の突起１５が外れると、スライダ６のストッパ１２側が上昇（図示の場合）するので、スライダ６のストッパ１２側を持ち上げる必要がない。このとき、関節部１３が不要になる。【００３８】  勿論、合成樹脂製のスライダ６に限定されず金属などであってもよい。【００３９】  なお、上述の反り返る性質がないと、手で持ち上げるとよい。【００４０】  このとき、関節部１３を設けておくと、スライダ６のストッパ１２側の持ち上げがスムーズになる。【００４１】  また、ケースＫ或いはガイド５とスライダ６との対向面には、スライダ６の挿入終了にともない係合関係になってスライダ６の突出方向のスライドを阻止する係止手段Ｄが設けてある。【００４２】  上記の係止手段Ｄとしては、例えば図２及び図３に示すように、ガイド５に係止部１６をスライダ６に係止片１７を設けたが逆にすることもできる。【００４３】  そして、係止部１６は、図示の突起に限定されず溝部であってもよい。【００４４】  係止片１７は、図示の場合スライダ６に両端がストッパ１２の反対方向に向くコ字状の切り込み１８を入れて、この切り込み１８の内側を係止部１６側に突出するように押し出して設けたが、スライダ６に別部分の係止片１７を固定して設けることができる。【００４５】  なお、図示の場合、係止手段Ｄは、図示の場合スライド方向の前後に配置したが、数は限定されない。【００４６】  上記のように構成すると、ショップ側の解除具Ｅを用いて係止手段Ｄの係合関係を解除すると共に、解除状態で突出方向にスライダ６をスライドさせる。【００４７】  そして、図７に示すように開口１の上縁と同レベル或いは上縁よりも上方にストッパ１２の下縁を位置させる。【００４８】  しかして、開口１からケースＫ内に物品Ａを挿入し、押し込む。【００４９】  その後にスライダ６を挿入方向にスライドさせて挿入終了直前に係止手段Ｄの係止片１７が係止部１６に接触して押し戻され、次いで係止片１７が係止部１６を通過し終わると、押し戻しの解除された係止片１７が係止部１６に引っかかって係合関係に（図２に示すように）なり、この係合関係によってスライダ６の突出方向のスライドを阻止する。【００５０】  このとき、開口１の一部をストッパ１２によって閉じるので、ケースＫ内の物品Ａの取り出しを阻止する。【００５１】  すると、ショップの棚に陳列した際のケースＫ内の物品Ａの抜き取りがストッパ１２により阻止され、盗難を防止する。【００５２】  ケースＫ内の物品Ａを販売や貸し出す場合、ショップ側の解除具Ｅによって（図４、図５に示すように）係止手段Ｄの係合関係を解除する。【００５３】  次いで、開口１が下側で、かつ開口１の上縁が下向きになるようにケースＫを傾��ると、物品Ａによってスライダ６が押し戻されるので、開口１からストッパ１２が外れ（図７に示すように）て、ケースＫから物品Ａを抜き取ることができる。【００５４】  また、ケースＫに（図１、図２、図９、図１３、に示す）貫窓２０を設けて、この貫窓２０に嵌入した指先を物品Ａ（図示収納ケースＢ）に押しつけ、押しつけを維持しながら開口１の方向に指を移動させて物品Ａを押し出す。【００５５】  なお、貫窓２０は、図示の側壁２に限定されず、開口１に対向する周壁３に設けて、嵌入する指先で物品Ａを突きだしてもよい。【００５６】  上記の解除具Ｅとしては、図６に示すグリップ２１から突出する突出部材２２（杆や帯板）をガイド６の端末通口２３からガイド６内に（図８に示す）差し込む。【００５７】  すると、図４、図５及び図７に示すように、突出部材２２によって係止片１７が押し戻されて、係止部１６から係止片１７が外れ、係合関係を解除する。【００５８】  この状況下で図８に示すように物品Ａと共にスライダ６を押し出す。【００５９】  また、解除具Ｅは、上記方式に限定されず、例えば図１０から図１２に示すように、係止片１７に鉄片３１を固着（係止片１７を鉄片により形成することもある）して、解除具Ｅの磁石３２を鉄片３１の直上に（図１２に示す）位置するようガイド５に近づけ或いは重ねると、磁石３２により鉄片３１が磁吸されて係止部１６から係止片１７が外れて係合関係が解除されるようにしてもよい。【００６０】  なお、図示の係止手段Ｄは、スライダ６の挿入終了にともない自動的に係合関係になるようにしてあるが、スライダ６の挿入終了後例えばボタンのプッシュ方式（図示省略）によって係合関係にすることもある。【００６１】  その際解除もそれに見合う方式を採用する。【００６２】  なお、図１４に示すように、ショップの棚に陳列する際透明な展示ケースＸに上方からケースＫを挿入して展示することもある。【００６３】  その際、展示ケースＸ内には、背見出し４１のみ或いは背見出し４１と押さえシート４２を挿入しておく。【００６４】  勿論、展示ケースＸが透明でない場合、展示ケースの外側に設けた透明なシートの内側に印刷紙（いずれも図示省略）を入れておく。【００６５】  この発明の第二の実施形態では、図１５から図１９に示すように、第一の実施形態のストッパ１２付スライダ６が、ショップ側の解除操作によって抜け止め用の係止手段Ｃの係合関係及び係止手段Ｄの係合関係が解除できて、この解除の状況のもとでケースＫからスライダ６を引き抜いて、引き抜いたスライダ６をショップ側に回収するようになっている。【００６６】  その要因は、スライダ６の回収ずみケースＫは、貸し出しや販売に転用する。【００６７】  勿論、タグ４は、図１６、図１７に示すようにスライダ６に設けて、ケースＫがショップの出入口を通過の際高周波電磁界の変調をなくする。【００６８】  上記目的を達成するための抜け止め用の係止手段Ｃとしては、図１５から図１８に示すように、スライダ６の挿入方向端部に先端がスライダ６の突出方向に向き、かつ頂壁部７の裏面方向に突出力の付与弾片５１（この弾片５１は、図示の場合スライダ６にコ字状の切り込み５２を入れて、この切り込み５２の内側を押��出して設けたが、スライダ６に別部品を固定して設けてもよい）の突出端を図１７に示すように頂壁部７の貫孔５３に嵌入させて突出方向にスライドさせたスライダ６の抜け止めとしスライダ６の没入スライドの終了にともない頂壁部７に（貫孔５３の手前に）設けてある貫孔５４に弾片５１が嵌り込んで、没入方向のスライド停止位置決め（このとき、開口１の一部をストッパ１２により閉じて、ケースＫ内の物品Ａの抜き取りを阻止する）が行われる。【００６９】  上記の目的を達成するための係止手段Ｄとしては、図１５から図１８に示すようにガイド５とスライダ６との対向（図示スライダ６の両側縁と両側壁部８に限定されない）面で、スライダ６の突出、没入方向に一定の間隔を存して複数の一方側壁部８に係止部としての貫孔５５を、他方スライダ６の側縁に切り起こしにより外方への突出力を付与すると共に、突出端がストッパ１２の方向に向く貫孔５５と同じ間隔で、かつ貫孔５５の列数の数よりも１つ少ない数の係止片１７を設けて構成する。【００７０】  すると、図２０に示すショップ側の解除具Ｅ’のセンター列の第１突起５６を図１７に示すように手前の貫孔５４に嵌入して、第１突起５６による弾片５１の押し戻しにより貫孔５４と弾片５１との係合関係を解除する。【００７１】  次に、解除具Ｅ’のサイド列の係止片１７と同数の第２突起５７を貫孔５５にそれぞれ嵌入して、第２突起５７による係止片１７の押し戻しにより各貫孔５５と各係止片１７との係合関係を解除する。【００７２】  そして、第一の実施形態と同様に物品Ａと共にスライダ６を押し出す。【００７３】  このとき、貫孔５５から脱出状態にあり、かつ側壁部８の内面に当接して押し戻し状態にある各係止片１７は、スライダ６と共に滑走し、そして図１９に示すように、ストッパ１２に一番近い係止片１７が第２突起５７の嵌入していない貫孔５５に合致（この合致よるスライダ６の押し出し停止位置決めは、前方の貫孔５３と弾片５１とが合致し、合致にともなう押し戻しの解除された弾片５１が貫孔５３に自動的に嵌り込み係合して行われる）すると、押し戻しの解除された係止片１７が貫孔５５に嵌り込み係合してスライダ６の引き抜きが（貫孔５３と弾片５１との係合関係によっても）阻止され、第一の実施形態と同様にストッパ１２と物品Ａとの係合関係をなくした上で、ケースＫから物品Ａを抜き取る。【００７４】  次にケースＫからスライダ６を抜き取る場合は、図２０に示す解除具Ｅ”を用いる。【００７５】  この解除具Ｅ”は、センター列の第１突起５６’が各貫孔５３、５４に嵌り込む前後に二個設けてあり、サイド列の第２突起５７’は、全ての貫孔５５に嵌り込むように（係止片１７の数よりも一つ多い）設けてある。【００７６】  すると、貫孔５３に対する弾片５１の係合関係がなく、各貫孔５５に対する各係止片１７の係合開係がなくなるので、ガイド５からスライダ６を抜き取ることができる。【００７７】  抜き取ったスライダ６は、ショップ側に回収して再使用する。【００７８】  すると、ケースＫは物品Ａを収納して貸し出しや販売用として転用することができる。【００７９】  なお、上記目的を達成する解除具Ｅ’、Ｅ”は、図２０、図２１に示すように、センター板５���と、このセンター板５８の側縁にハーフカットのヒンジ５９を介し屈曲自在に設けたサイド板６０と構成した。【００８０】  勿輪、係止手段Ｃ、Ｄや解除具Ｅ’、Ｅ”は、図示に限定されず他の方式を用いてもよい。【００８１】  例えば、スライダ６の挿入終了後にボタンのプッシュにともない係合関係になり、ショップ側で解除具としての磁石などを用いて係合関係を解除することも考えられる。【００８２】  上記第二の実施形態のケースＫ、スライダ６は、第一の実施形態と同様につき詳細な説明を省略する。【００８３】  この発明の第三の実施形態では、図２２から図２５に示すように、一側面に開口６１を有する箱体６２と、この箱体６２の周囲一辺にヒンジ６３を介し開口６１を開閉する蓋体６４とでケース６５を形成する。【００８４】  上記の箱体６２は、図示の場合側壁６６と、この側壁６６の各辺縁から連なって側壁６６の裏面方向に突出する周壁６７とで構成され、蓋体６４は、図示の場合一辺の周壁６７にハーフカットのヒンジ６３を介し連なる側壁６８と、この側壁６８の辺縁から連なって周壁６３の外側に嵌装する周壁６９とで構成され、合成樹脂の成形によって一体的に形成したが、別々に形成することも考えられる。【００８５】  そして、ピンヒンジなどで箱体６２に対し蓋体６４を開閉自在に取付ける。【００８６】  上記ケース６５のヒンジ６３とこのヒンジ６３に対向する辺との間の平行二辺の一面に物品Ａを出し入れする開口１が設けてある。【００８７】  また、ケース６５のヒンジ６３の反対側辺に並列掛合部７０（箱体６２及び蓋体６４とに）を設けて、この並列掛合部７０に掛合状態にして（ケース６５の開放阻止のため）差し込み、また引き抜くことができるスライダ７１を設ける。【００８８】  上記のスライダ７１は、図示の場合基板７２と、この基板７２の両側縁から上下方向に突出すると共に、７字状の並列掛合部７０の外側を上縁部によって抱き込む並列板７３とによって構成したが、同自的の他の構造であってもよい。【００８９】  要するに、スライダ７１の差し込みによってケース６５の開放を阻止することにある。【００９０】  そして、図２５、図２６に示すように周壁６７、６９の開放縁を突き合わせにし、かつ突き合わせ縁を凹凸７８にして、その凹凸７８を噛み合い状に嵌め込んでおくと、ドライバや指先の引っかかりによる開放阻止が向上する。【００９１】  また、スライダ７１の開口１側には、スライダ７１の挿入終了にともない開口１の一部を閉鎖してケース６５から物品Ａの抜き取りを阻止するストッパ１２が設けてあり、スライダ７１とケース６５との対向面には、第一、第二の実施形態と同様に突出方向スライドさせた途中において、係止手段Ｃの係合関係によってケース６５に対しスライダ７１が抜けないように、その結果開口１に対しストッパ１２の離反によってケース６５から物品Ａを抜き取ることができ、スライダ７１の挿入終了にともない係止手段Ｄの係合関係によってスライダ７１の突出方向のスライドを止めて、ストッパ１２による開口１の一部閉鎖の維持によって開口１からの物品Ａの抜き取りを阻止するようにしてある。【００９２】  そして、上記の係止手段Ｃ、Ｄの係合関係をショップ側により解除してスラ��ダ７１を抜き取って、抜き取ったスライダ７１をショップに回収すると、スライダ７１の具備しないケース６５が、物品Ａの貸し出しや販売ケースとして転用することができる。【００９３】  上記の係止手段Ｃ、Ｄは、第一、第二の実施形態と同様につき、ショップ側の解除具による解除方式も第二の実施形態と同様につき説明を省略する。【００９４】  なお、図示の場合、係止手段Ｃ、Ｄを同列上に配置したが、第一の実施形態のように別の位置にそれぞれ設けてもよい。【００９５】  上記の係止手段Ｃ、Ｄは、図示に限定されず、鉄片で形成し、磁石によって解除する方式や、ショップ側でのボタンのプッシュによって係合関係にする方式などが採用でき、またケース６５に貫窓２０を設けて物品Ａを押し出し、スライダ７１の途中に関節部１３を設けておくとよい。【００９６】  勿論、スライダ７１の引き抜いたケース６５が持ち出せるよう、スライダ７１にタグ４を設けておく。【００９７】  上記並列板７３の係止片１７の配置位置には、切欠き７７が設けてある。【００９８】  なお、第一、第二、第三の実施形態の挿入スライダ６、７１は、図示の場合内側に挿入（嵌装）するようになっているが、外側に挿入（嵌装）することもできる。【００９９】  この発明の第四の実施形態では、図２７から図２９に示すように、一側面に物品Ａの出し入れ用の開口９１を有する箱体９２と、この箱体９２の周囲一辺に適宜のヒンジ６３を介し開口９１を開閉するように設けた蓋体９３とでケース９４を形成する。【０１００】  上記の箱体９２、蓋体９３の構成並びにヒンジ６３は、第一の実施形態と同様につき説明を省略する。【０１０１】  上記ケース９４のヒンジ６３の反対側片には、抜き差し自在に嵌合体９５を嵌装して嵌合体９５の嵌装下にケース９４の開放を阻止するようになっている。【０１０２】  上記の嵌合体９５は、図示の場合ケース９４のヒンジ６３の反対側辺と、この反対側辺に連なる一辺に周壁６９及び６７に外接するＬ形の主壁９６と、この主壁９６の両側縁から連なって箱体９２及び蓋体９３の側壁６６、６８に外接する抱き込み壁９７とで構成されている。【０１０３】  また、嵌合体９５の嵌装方向側辺縁に嵌合体９５の差し込み方向に突出する突出体９８を設け、ケース９４に嵌合体９５の差し込みにともない突出体９８が貫通する貫孔９９を設ける。【０１０４】  上記の突出体９８は、図示の場合抱き込み壁９７から突出させてあるが、主壁９６から連成してもよい。【０１０５】  そして、ケース９４（図示の場合主壁６６に〉に抱き込み壁９７が主壁６６と面一に嵌り込む凹入段部１００を設けて、この凹入段部１００の周囲壁に貫孔９８を設けた。【０１０６】  さらに、突出体９８とケース９４（図示の場合主壁６６に）とには、突出体９８の貫通終了にともない抜け止め係合関係になり、かつショップ側の解除具によって係合関係を解除することができる係止手段Ｄが設けてある。【０１０７】  上記の係止手段Ｄは、図示の場合突出体９８に第二の実施形態の係止片１７を、主壁６６に貫孔５５を設けたが（詳細は、第二の実施形態と同様につき説明を省略する）、第一の実施形態と同様の係止手段Ｄを採用することもある。【０１０８】  そして、解除具及び解除具を用いた解除方式も第二の実施形態と同様につき説明を省略する。【０１０９】  すると、ケース９４に嵌合体９５を嵌装すると共に、係止手段Ｄにより嵌合体９５の抜き取りを阻止することで、陳列時のケース９４内の物品Ａの盗難を防止する。【０１１０】  また、ケース９４から嵌合体９５を取り外してショップに嵌合体９５を回収することによりケース９４が貸し出しや販売に転用することができる。【０１１１】  勿論、嵌合体９５にタグ４を設けておく。
【図面の簡単な説明】
【０１１２】
【図１】    この発明の第一の実施形態を示す斜視図
【図２】    同上の要部を示す一部切欠側面図
【図３】    同一部切欠平面図
【図４】    係止手段の係合関係を解除を示す一部切欠側面図
【図５】    同上の一部切欠平面図
【図６】    解除具の斜視図
【図７】    スライダを突出させた一部切欠側面図
【図８】    同上の一部切欠平面図
【図９】    係止手段の他の例を示す一部切欠側面図
【図１０】    係止手段の他の例を示す一部切欠側面図
【図１１】    同上の一部切欠平面図
【図１２】    同一部切欠側面図
【図１３】    物品の他の例を示す一部切欠側面図
【図１４】    展示ケースの使用を示す斜視図
【図１５】    第二の実施形態を示す斜視図
【図１６】    同上の一部切欠側面図
【図１７】    スライダを押し出した一部切欠側面図
【図１８】    スライダを挿入した状態の一部切欠平面図
【図１９】    スライダを押し出した状態の一部切欠平面図
【図２０】    解除具の斜視図
【図２１】    同斜視図
【図２２】    第三の実施形態を示す斜視図
【図２３】    同上の一部切欠側面図
【図２４】    同横断平面図
【図２５】    同縦断正面図
【図２６】    他の例を示す斜視図
【図２７】    第四の実施形態を示す分解斜視図
【図２８】    同上の横断平面図
【図２９】    同縦断正面図
【符号の説明】
【０１１３】Ａ        物品
Ｂ        収納ケース
Ｃ        抜け止め用の係止手段
Ｄ        係止手段
Ｅ        解除具
Ｋ        ケース
１        開口
２        側壁
３        周壁
４        タグ
５        ガイド
６        スライダ
７        頂壁部
８        側壁部
９        レール部
１０      突部
１１      切り込み
１２      ストッパ
１３      関節部
１６      係止部
１７      係止片
１８      切り込み
２０      貫窓
３１      鉄片
３２      磁石
５１      弾片
５２      切り込み
５３、５４、５５    貫孔
５６、５６’    第１突起
５７、５７’    第２突起
６１      開口
６２      箱体
６３      ヒンジ
６４      蓋体
６５      ケース
６６      側壁
６７      周壁
６８      側壁
６９      周壁
７０      掛合部
７１      スライダ
７２      基板
７３      並列板
９１      開口
９２      箱体
９３      蓋体
９４      ケース
９５      嵌合体
９６      主壁
９７      抱き込み壁
９８      突出体
９９      貫孔
１００    凹入段部
【図１】
2004345736.tif 000003
【図２】
2004345736.tif 000004
【図３】
2004345736.tif 000005
【図４】
2004345736.tif 000006
【図５】
2004345736.tif 000007
【図６】
2004345736.tif 000008
【図７】
2004345736.tif 000009
【図８】
2004345736.tif 000010
【図９】
2004345736.tif 000011
【図１０】
2004345736.tif 000012
【図１１】
2004345736.tif 000013
【図１２】
2004345736.tif 000014
【図１３】
2004345736.tif 000015
【図１４】
2004345736.tif 000016
【図１５】
2004345736.tif 000017
【図１６】
2004345736.tif 000018
【図１７】
2004345736.tif 000019
【図１８】
2004345736.tif 000020
【図１９】
2004345736.tif 000021
【図２０】
2004345736.tif 000022
【図２１】
2004345736.tif 000023
【図２２】
2004345736.tif 000024
【図２３】
2004345736.tif 000025
【図２４】
2004345736.tif 000026
【図２５】
2004345736.tif 000027
【図２６】
2004345736.tif 000028
【図２７】
2004345736.tif 000029
【図２８】
2004345736.tif 000030
【図２９】
2004345736.tif 000031